(57)【要約】      （修正有）【課題】フレキシブル基板の余長部による不具合の発生を防止し、フレキシブル基板の電気的、物理的な接続が良好で組立性及びノイズ除去性能に優れた電気機器を提供する。【解決手段】ＣＣＵは、パネル電装部１６に設けられた第１コネクタ３３と、第１コネクタ３３からＬ１離間した位置に設けられた第２コネクタ２９ａと、一端部が第１コネクタ３３に接続され、他端部が第２コネクタ２９ａに接続されるフレキシブル基板３５Ｌと、平面３８ｃ、３８ｄを外面として有し、フレキシブル基板３５Ｌが挿通される貫通孔を設けたフェライトコア３８と、を具備し、フレキシブル基板３５Ｌの長さを、フレキシブル基板３５Ｌによってパネル電装部１６Ｅと第２コネクタ２９ａとが接続された状態において、Ｌ１離間した空間内に余長部が出現するように設定し、空間内に出現した弛み部４３ａ、４３ｂをフェライトコア３８の平面３８ｃ、３８ｄに巻き付けて収容する。【選択図】図６Ｃ
2015173167.tif 000002
【特許請求の範囲】
【請求項１】
電気部品に設けられた第１の接続部と、
前記第１の接続部から第１の距離離間した位置に接続口が設けられた第２の接続部と、
一端部が前記第１の接続部に接続され、他端部が前記第２の接続部に接続される幅広で可撓性を有する柔軟なシート状配線部品と、
前記第１の距離より短い第１の辺と前記シート状配線部品の幅より広い第２の辺とで構成される互いに平行な２つの平面を外面として有し、前記第２の辺を有する側面に前記シート状配線部品が挿通される貫通孔の開口を設けた固体ノイズ除去部材と、を具備し、
前記シート状配線部品の長さを、該シート状配線部品によって前記電気部品と前記第２の接続部とが接続された状態において前記第１の距離離間した空間内に予め定めた長さの余長部が出現するように設定し、
前記空間内に出現した余長部を前記固定ノイズ除去部材が有する２つの平面上に位置するように巻き付け、該余長部を巻き付けた該固定ノイズ除去部材を該空間内に収容することを特徴とする電気機器。
【請求項２】
前記固体ノイズ除去部材の外面である平面から該固体ノイズ除去部材の貫通孔の内面までの距離は、前記シート状配線部品の可撓性を考慮して該固体ノイズ除去部材を反転させた際に前記シート状配線部品が鋭角に折り曲げられることを防止して設定されることを特徴とする請求項１に記載の電気機器。
【請求項３】
前記固定ノイズ除去部材に巻き付けられた前記余長部が該固定ノイズ除去部材から外れることを防止する係止部材を備えることを特徴とする請求項１に記載の電気機器。
【請求項４】
前記係止部材は、前記余長部が巻き付けられた前記固定ノイズ除去部材が配置される貫通孔を有する第２の固体ノイズ除去部材であることを特徴とする請求項３に記載の電気機器。
【請求項５】
前記余長部のうち、前記第１の接続部から前記固定ノイズ除去部材の貫通孔に侵入する第１接続部側余長部の中心線と、該固定ノイズ除去部材の貫通孔から延出されて前記第２の接続部に至る第２接続部側余長部の中心線と、当該固定ノイズ除去部材の貫通孔内に配置されているシート状配線部品の中心線とは、前記固定ノイズ除去部材の平面側から見て同一線上に配置されることを特徴とする請求項１に記載の電気機器。
【請求項６】
前記余長部のうち、前記第１の接続部から前記固定ノイズ除去部材の貫通孔に至る第１接続部側余長部の中心線と、該固定ノイズ除去部材の貫通孔から延出されて前記第２の接続部に至る第２接続部側余長部の中心線とは前記固定ノイズ除去部材の平面側から見て平行に配置されてオフセットされた位置関係であるとき、
当該固定ノイズ除去部材の貫通孔内に配置されているシート状配線部品の中心線は、前記第１接続部側余長部の中心線及び前記第２接続部側余長部の中心線に交差することを特徴とする請求項１に記載の電気機器。
【発明の詳細な説明】
【技術分野】
【０００１】
本発明は、電気的な接続にフレキシブル基板を用いた電気機器に関する。
【背景技術】
【０００２】
一般に、電気機器を構成する筐体の正面板にはレセプタクル、表示パネル等が設けられている。表示パネルには、例えば、ユーザーが機器の動作状態を容易に認識可能にするための発光部位が設けられている。コネクタ受け部には、外部装置から延出する電気コードの端部に設けられた電気コネクタが接続される。
【０００３】
また、電気機器を構成する筐体内には電源部、制御回路及び信号処理回路等を設けた基板を備えた制御部等が収容されている。
【０００４】
レセプタクルと基板、および、表示パネルと基板とは一般にフレキシブル基板によって電気的、物理的に接続される。そして、フレキシブル基板は、ノイズの周波数をシフトさせる目的、或いは、ノイズを吸収する、フェライトコアに挿通される。
【０００５】
例えば、特許文献１には、周辺に配設される基板などを傷つけることなく基板同士の接続状態を維持しつつ、演出表示装置に対するノイズを除去する遊技機が開示されている。この遊技機においては、一方の基板と他方の基板とをフレキシブル基板で送受信可能に接続し、該フレキシブル基板にノイズ除去部材としてのフェライトコアが装着される。
そして、特許文献２には、フラットケーブルを使用する場合の不要輻射を低減することを目的としたフラットケーブル取付け装置が示されている。また、特許文献３には、フェライトコアによる不要輻射ノイズの減衰効果を安定させることができるノイズフィルタが示されている。
上述した表示パネルとメイン基板とをフレキシブル基板によって接続する際、作業者は、表示パネルの電装部から直接、或いは基板を介して延出されているフレキシブル基板の延出端を手指で把持し、例えばフェライトコアの貫通孔に挿通する。その後、作業者は、フェライトコアの貫通孔から延出されたフレキシブル基板の端部を手指で把持してコネクタ接続口からコネクタ内にさし込んで電気的、物理的な接続作業を行う。
【０００６】
このため、コネクタ接続口の前面には、手指によるフレキシブル基板の電気的、物理的な接続作業を確実且つ容易に行えるようにするため、作業用のスペースが確保されている。  
【先行技術文献】
【特許文献】
【０００７】
【特許文献１】特開２００９−６０８５号公報
【特許文献２】特開平１１−２６１２５５号公報
【特許文献３】特開２００５−１５１４７４号公報
【発明の概要】
【発明が解決しようとする課題】
【０００８】
しかしながら、近年、装置の小型化等に伴って、コネクタ接続口前面の作業用スペースが狭小になり、フレキシブル基板を接続する作業が難しくなっている。また、フレキシブル基板は、長さが予め長めに設定されているため、接続完了後、電装部とコネクタとの間にフレキシブル基板の余長部が出現する。この余長部は、メイン基板に接触して、或いは、他の電気部品に接触してノイズ除去性能等に悪影響を及ぼすおそれ、或いは、筐体等と干渉して組立性に悪影響を及ぼすおそれがある。
【０００９】
本発明は上記事情に鑑みてなされたものであり、フレキシブル基板の余長部による不具合の発生を防止しつつ、フレキシブル基板の電気的、物理的な接続が良好で組立性及びノイズ除去性能に優れた電気機器を提供することを目的にしている。
【課題を解決するための手段】
【００１０】
本発明の一態様の電気機器は、電気部品に設けられた第１の接続部と、前記第１の接続部から第１の距離離間した位置に接続口が設けられた第２の接続部と、一端部が前記第１の接続部に接続され、他端部が前記第２の接続部に接続される幅広で可撓性を有する柔軟なシート状配線部品と、前記第１の距離より短い第１の辺と前記シート状配線部品の幅より広い第２の辺とで構成される互いに平行な２つの平面を外面として有し、前記第２の辺を有する側面に前記シート状配線部品が挿通される貫通孔の開口を設けた固体ノイズ除去部材と、を具備し、前記シート状配線部品の長さを、該シート状配線部品によって前記電気部品と前記第２の接続部とが接続された状態において前記第１の距離離間した空間内に予め定めた長さの余長部が出現するように設定し、前記空間内に出現した余長部を前記固定ノイズ除去部材が有する２つの平面上に位置するように巻き付け、該余長部を巻き付けた該固定ノイズ除去部材を該空間内に収容している。
【発明の効果】
【００１１】
本発明によれば、フレキシブル基板の余長部による不具合の発生を防止しつつ、フレキシブル基板の電気的、物理的な接続が良好で組立性及びノイズ除去性能に優れた電気機器を実現できる。
【図面の簡単な説明】
【００１２】
【図１】内視鏡にコネクタを有し、電気機器であるカメラコントロールユニットにレセプタクルを備える内視鏡装置を説明する図
【図２】カメラコントロールユニットを説明する図
【図３】カメラコントロールユニットを構成する筐体を説明する図
【図４】フェライトコアの構成を説明する図
【図５】フレキシブル基板が接続される電装部用コネクタと基板用第１コネクタの接続口までの第１の距離を説明すると共に、フレキシブル基板の長さを弛み無く接続可能な長さＬ２に設定した接続状態を説明する図
【図６Ａ】フェライトコアが挿通された余長部を有するフレキシブル基板の接点パターン部を有する端部を基板用第１コネクタに接続する工程であって、フレキシブル基板の端部を基板用第１コネクタのコネクタ開口に対向させた状態を示す図
【図６Ｂ】フェライトコアが挿通された余長部を有するフレキシブル基板の接点パターン部を有する端部を基板用第１コネクタに接続する工程であって、フレキシブル基板の端部を基板用第１コネクタに接続した状態、及びその接続状態で出現する弛み部を説明する図
【図６Ｃ】フェライトコアが挿通された余長部を有するフレキシブル基板の接点パターン部を有する端部を基板用第１コネクタに接続する工程であって、フレキシブル基板の中途部が巻き付けられた状態のフェライトコアを固定台上に載置した状態を説明する図
【図６Ｄ】フェライトコアが挿通された余長部を有するフレキシブル基板の接点パターン部を有する端部を基板用第１コネクタに接続する工程であって、フレキシブル基板３５Ｌの中途部が巻き付けられたフェライトコアをフェライトコア固定部材を介して固定台上に固設した状態を説明する図
【図６Ｅ】図６Ｃの矢印Ｙ６Ｅ方向矢視図であって、第１接続部側弛み部の中心線と、第２接続部側弛み部の中心線と、フレキシブル基板の中心線との位置関係を説明する図
【図７】係止部材の他の構成を説明する図であって、係止部材として設けられた第２フェライトコアの構成及び作用を説明する図
【図８】第１接続部側弛み部の中心線と、第２接続部側弛み部の中心線と、フレキシブル基板の中心線との他の位置関係を説明する図
【発明を実施するための形態】
【００１３】
以下、図面を参照して本発明の実施の形態を説明する。  
なお、以下の説明に用いる各図において、各構成要素を図面上で認識可能な程度の大きさとするため、構成要素毎に縮尺を異ならせてあるものもあり、本発明は、これらの図に記載された構成要素の数量、構成要素の形状、構成要素の大きさの比率、及び各構成要素の相対的な位置関係のみに限定されるものではない。
【００１４】
図１に示すように内視鏡装置１は、内視鏡２と、内視鏡外部装置であって電気機器である例えばカメラコントロールユニット（以下、ＣＣＵと記載する）３と、モニタ４と、を有して構成されている。
【００１５】
本実施形態のＣＣＵ３は、内視鏡２が備える撮像素子の各種信号処理等を行うビデオプロセッサであって、ＣＣＵ３内には送気管路（不図示）に空気等を供給する送気ポンプ（不図示）、照明用ランプ（不図示）等が設けられている。符号１６は、表示パネルである。
【００１６】
内視鏡２は、挿入部５と、操作部６と、ユニバーサルケーブル７と、を有している。挿入部５は、観察対象部位へ挿入される細長な長尺部材である。  
挿入部５は、先端部５ａと、湾曲部５ｂと、可撓管部５ｃとを連設して構成されている。先端部５ａは、硬質な部材で構成されている。湾曲部５ｂは、例えば上下左右の四方向に湾曲自在に構成されている。可撓管部５ｃは、長尺で可撓性を有する管状部材である。
【００１７】
操作部６には、湾曲操作部８、各種スイッチ９、送気送水ボタン１０、吸引ボタン１１などが設けられている。  
湾曲操作部８は、湾曲部５ｂを上下方向に湾曲操作するための上下ノブ８ａと、左右方向に湾曲操作するための左右ノブ８ｂと、を備えている。スイッチ９は、例えば、レリーズスイッチ、フリーズスイッチ、及び、通常観察と蛍光観察との切り替えを行うための観察モード切替スイッチ等である。なお、符号１２は処置具挿入口である。
【００１８】
ユニバーサルケーブル７は、操作部６の側面より延出されている。ユニバーサルケーブル７の端部には内視鏡コネクタ１３が設けられている。本実施形態においては、内視鏡コネクタ１３の一側部から端部に撮像用コネクタ１４を設けた電気ケーブルである撮像ケーブル１５が延出されている。
【００１９】
図１−図３に示すようにＣＣＵ３を構成する筐体２１は、六面体で内部空間を有する箱構造である。  
図３においては、筐体２１の天地を反転させて、該筐体２１の箱構造を説明している。
【００２０】
図１−図３に示すように筐体２１は、正面板２２、背面板２３、天面側面一体板（以下、トップカバーと記載する）２４、及び底板２５を備えて構成されている。正面板２２は、剛性を有する絶縁部材であって、例えば樹脂製である。これに対して、背面板２３、トップカバー２４、及び底板２５は、剛性を有する金属製である。
【００２１】
なお、トップカバー２４は、一枚の金属板を折り曲げて天面部２４Ｕと、天面部２４Ｕを挟んで対向する側面部２４Ｌ、２４Ｒとを設けて凹字形状に形作られている。  
符号２６は、取手であって、図２に示す設置状態のＣＣＵ３の正面板２２を正面視した状態でトップカバー２４の右側面部２４Ｒに固設されている。
【００２２】
図２に示すように正面板２２の一面にはレセプタクル３０の接続口３０ｍ、表示パネル１６、及び電源スイッチ１７が設けられている。
【００２３】
レセプタクル３０には、内視鏡コネクタ１３が内挿されて物理的に接続される内視鏡コネクタ接続部３１と、撮像用コネクタ１４が内挿されて電気的及び物理的に接続される撮像用コネクタ接続部３２と、が設けられている。
【００２４】
図３に示すように本実施形態において、正面板２２の一面の裏面である他面には送気ポンプ２７及びパネル電装部１６Ｅが組み付けられる。パネル電装部１６Ｅは電気部品であって、該電装部１６Ｅには第１の接続部である後述する電装部用コネクタ（図５の符号３３）を実装したリジット基板３４が設けられている。
【００２５】
トップカバー２４には、電源基板を内蔵した電源部２８、固体撮像素子である例えばＣＣＤを制御する制御回路と、ＣＣＤから伝送される電気信号から出力された電気信号を処理する信号処理回路を設けたメイン基板２９ｐ１と、表示パネル１６から出力された電気信号を処理する信号処理回路を設けたサブ基板２９ｐ２と、を有する制御部２９等が配設されている。
【００２６】
そして、サブ基板２９ｐ２の側部には第２の接続部である基板用第１コネクタ２９ａが設けられ、メイン基板２９ｐ１の一側部には第２の接続部である基板用第２コネクタ２９ｂが設けられている。
【００２７】
符号３５はフレキシブル基板であり、パネル電装部１６Ｅから延出されている。フレキシブル基板３５は、シート状配線部品であって、その端部には接点パターン部が設けられており、該接点パターン部は基板用第１コネクタ２９ａに接続される。  
基板用第２コネクタ２９ｂにはフレキシブル基板３５とは異なる図示されていない第２のフレキシブル基板が接続される。
【００２８】
これらフレキシブル基板の接点パターン部近傍には補強板と呼ばれる突起（図５等の符号３５ｃ参照）が設けた板部材３５ｂが設けられている。突起３５ｃは、作業者の手指の爪を引っ掛ける部分である。作業者がフレキシブル基板３５の接点パターン部をコネクタ内に押し込む際、爪を突起３５ｃに引っ掛けて押し込む。このことによって、柔軟なフレキシブル基板の接点パターン部が真っ直ぐにコネクタ内に挿入される。
【００２９】
フレキシブル基板３５は、配線パターンが単層構造、或いは、多層構造であり、予め定めた幅及び長さに設定されている。フレキシブル基板３５は、例えば、ポリイミド製で可撓性を有して柔軟な透明弾性基板である。端子部、半田付け部以外は、絶縁性を有するポリイミド膜を被せて保護されている。
【００３０】
多層構造のフレキシブル基板３５においては、スルーホール等を用いて上下の配線パターンが繋げられている。配線パターンとしては、幅が一定で直線形状のもの、途中に屈曲部を有するもの、幅が他のパターンに比べて極端に狭いものなど用途に応じて各種パターンが形成される。  
なお、これら配線パターンは、フレキシブル基板３５が鋭角に数回折り曲げることによって断線を起こすおそれがある。  
符号３８は固体ノイズ除去部材であって、磁性材料を含むフェライトコアである。符号３９はフェライトコア固定部材である。フェライトコア固定部材３９は、メイン基板２９ｐ１にねじ止め固定されて、フェライトコア３８をメイン基板２９ｐ１上に固定配置させる。即ち、フェライトコア固定部材３９は、フェライトコア３８をメイン基板２９ｐ１上に固定配置させる係止部材である。
【００３１】
図４に示すようにフェライトコア３８は、第１の辺３８ａと、フレキシブル基板３５の幅より幅広な第２の辺３８ｂとで構成される互いに平行な２つの平面３８ｃ、３８ｄを外面として有している。フェライトコア３８は、第２の辺３８ｂを含む対向する側面３８ｅ、３８ｆにフレキシブル基板３５が挿通して配置される貫通孔３８ｈの開口３８ｍを有している。
【００３２】
フェライトコア３８の第１の平面３８ｃから貫通孔３８ｈの第１の内面３８ｈ１までの距離と、第２の平面３８ｄから貫通孔３８ｈの第２の内面３８ｈ２までの距離である厚みは同一である。この距離Ｌは、フレキシブル基板３５が鋭角に折り曲げられることを防止するためのものであり、フレキシブル基板３５の可撓性を考慮して設定されている。  
そして、第１の内面３８ｈ１と第２の内面３８ｈ２とは平行な平面である。
【００３３】
図５に示すように本実施形態においてフレキシブル基板３５の一端部が接続される電装部用コネクタ３３と、他端部が接続される基板用第１コネクタ２９ａの接続口であるコネクタ開口２９ｍまでの第１の距離はＬ１である。第１の距離Ｌ１は、フェライトコア３８の第１の辺３８ａより長く設定されている。
【００３４】
なお、フレキシブル基板３５の一端部は、パネル電装部１６Ｅに設けられた複数の接点部（不図示）に例えば直接半田付けされる構成であってもよく、その構成においては、フレキシブル基板３５の一端部が接続される接点部が第１の接続部であって、該接点部から基板用第１コネクタ２９ａのコネクタ開口２９ｍまでの距離が第１の距離Ｌ１である。
【００３５】
フレキシブル基板３５の長さを図に示すように弛み無く接続可能な長さＬ２に設定した場合、フレキシブル基板３５に配置されたフェライトコア３８の配置位置を大きく変化させることが困難である。  
この結果、フェライトコア３８とコネクタ開口２９ｍとの間に指を入れて、爪を突起３５ｃに引っ掛けて、接点パターン部を押し込むことができない。
【００３６】
このため、図６Ａに示すフレキシブル基板３５Ｌでは長さをＬ２より長いＬ３に設定してある。具体的に、フレキシブル基板３５Ｌに、作業性を考慮すると共に第１の辺３８ａの長さを考慮した、長さｌの余長部を設けている。
【００３７】
ここで、図６Ａ−図６Ｅを参照してフレキシブル基板３５Ｌの基板用第１コネクタ２９ａへの接続について説明する。  
まず、作業者は、図６Ａに示すように電装部用コネクタ３３から長さＬ３に設定されているフレキシブル基板３５Ｌの端部に設けられた接点パターン部を基板用第１コネクタ２９ａに接続する。  
作業者は、フレキシブル基板３５Ｌの端部をフェライトコア３８の貫通孔３８ｈ内に挿通する。そして、フレキシブル基板３５Ｌの中途部にフェライトコア３８を配置させた状態で接続作業を行う。
【００３８】
なお、符号４０は、固定ネジであり、フェライトコア固定部材３９をメイン基板２９ｐ１に設けられた固定台４１に固定する。符号４１ｆは、雌ネジ部であり、固定ネジ４０の雄ねじ部４０ｍが螺合される。符号３９ｈは、逃がし孔であり、フェライトコア固定部材３９の長手側の側部に突出して形成された鍔部（不図示）に設けられている。逃がし孔３９ｈには固定ネジ４０雄ねじ部４０ｍが通過して配置される。符号４２はスペーサであり、メイン基板２９ｐ１を所定の位置に配置する。
【００３９】
次に、作業者は、フレキシブル基板３５Ｌの端部をコネクタ開口２９ｍに対向させる。そして、フレキシブル基板３５Ｌの端部に設けられている接点パターン部を基板用第１コネクタ２９ａ内に押し込むため、指の爪を突起３５ｃに引っ掛ける。そして、作業者は、接点パターン部の押し込みを行う。
【００４０】
この結果、図６Ｂに示すようにフレキシブル基板３５Ｌの接点パターン部が基板用第１コネクタ２９ａ内に予め定めた状態で配置されて電気的、物理的な接続状態になる。この接続状態において、フェライトコア３８の電装部用コネクタ３３側（以下、第１接続部側と記載する）及びフェライトコア３８の基板用第１コネクタ２９ａ側（以下、第２接続部側と記載する）に、距離Ｌ１の電装部用コネクタ３３と基板用第１コネクタ２９ａのコネクタ開口２９ｍとの間の空間内に収容しきれない余長部である、弛み部４３ａ、４３ｂが出現する。この弛み部４３ａ、４３ｂは、上述した長さｌの余長部を設けたことによって、出現したものである。
【００４１】
次いで、作業者は、図６Ｂの矢印６Ｂに示すように図中上方向に位置する第１の平面３８ｃが図中下方向になるようにフレキシブル基板３５Ｌの長手軸に沿ってフェライトコア３８を反転させていく。
【００４２】
すると、フェライトコア３８の回転に伴って、第２の平面３８ｄ上にフレキシブル基板３５Ｌの第２接続部側弛み部４３ｂが配置されるとともに、第１の平面３８ｃ上にフレキシブル基板３５Ｌの第１接続部側弛み部４３ａが配置される。
【００４３】
この結果、長さｌの余長部を含むフレキシブル基板３５Ｌの中途部がフェライトコア３８に巻き付けられた状態になる。このとき、フレキシブル基板３５Ｌは、鋭角に折り曲げられること無く、フェライトコア３８の第１接続部側及び第２接続部側が滑らかに湾曲されて、曲げ半径を有する曲げ部４４が形成される。
【００４４】
そして、作業者は、図６Ｃに示すようにフレキシブル基板３５Ｌの中途部が巻き付けられた状態のフェライトコア３８を固定台４１の上に載置する。  
その後、作業者は、固定台４１に載置されたフェライトコア３８をフェライトコア固定部材３９で被い、固定ネジ４０を、逃がし孔３９ｈを介して雌ネジ部４１ｆに螺合する。この結果、図６Ｄに示すようにフレキシブル基板３５Ｌの中途部が巻き付けられたフェライトコア３８がフェライトコア固定部材３９によって被われた状態で固定台４１上に固設される。
【００４５】
すなわち、長さｌの余長部を備えたフレキシブル基板３５Ｌは、フェライトコア３８の平面３８ｃ、３８ｄに余長部を配置して、距離Ｌ１の電装部用コネクタ３３と基板用第１コネクタ２９ａのコネクタ開口２９ｍとの間の空間内に収容される。
【００４６】
このとき、図６Ｅに示すように電装部用コネクタ３３からフェライトコア３８の貫通孔３８ｈに至る第１接続部側余長部である第１接続部側弛み部４３ａの中心線４３ａＡと、フェライトコア３８の貫通孔３８ｈから延出されて基板用第１コネクタ２９ａに至る第２接続部側余長部である第２接続部側弛み部４３ｂの中心線４３ｂＡと、フェライトコア３８の貫通孔３８ｈ内に配置されているフレキシブル基板３５Ｌの中心線３５Ｌａとは、同一線上に位置している。つまり、フェライトコア３８を第２の平面３８ｄから見て第２接続部側弛み部４３ｂの中心線４３ｂＡと、フレキシブル基板３５Ｌの中心線３５Ｌａと、第１接続部側弛み部４３ａの中心線４３ａＡとは、一直線上に配置される。
【００４７】
このように、フレキシブル基板３５Ｌに長さｌの余長部を設けたことによって、フレキシブル基板３５Ｌの端部をパネル電装部１６Ｅ及び基板用第１コネクタ２９ａにそれぞれ電気的、物理的に接続する際、フレキシブル基板３５Ｌの中途部に配置させたフェライトコア３８の位置を移動させてフレキシブル基板３５Ｌの端部を容易にパネル電装部１６Ｅ及び基板用第１コネクタ２９ａに接続することができる。
【００４８】
また、フレキシブル基板３５Ｌに第１の辺３８ａの長さの２倍より予め定めた長い長さｌの余長部を設けたことによって、接続作業性の向上を図りつつ、余長部をフェライトコア３８の第１の平面３８ｃ及び第２の平面３８ｄに配置させて、距離Ｌ１の電装部用コネクタ３３と基板用第１コネクタ２９ａのコネクタ開口２９ｍとの間の空間内に余長部を収容することができる。
【００４９】
また、フェライトコア３８の第１の平面３８ｃから貫通孔３８ｈの第１の内面３８ｈ１までの厚みと、第２の平面３８ｄから貫通孔３８ｈの第２の内面３８ｈ２までの厚みをフレキシブル基板３５Ｌの可撓性を考慮して予め定めた寸法に設定している。このため、フレキシブル基板３５Ｌに配置されているフェライトコア３８をフレキシブル基板３５Ｌの長手軸に沿って反転させた際、鋭角な折り曲げ部を形成すること無く曲げ半径を有する曲げ部を形成してパターンの断線を防止することができる。
【００５０】
また、フレキシブル基板３５Ｌの中途部が巻き付けられたフェライトコア３８にフェライトコア固定部材３９を被せた上で、フェライトコア固定部材３９を固定台４１上にネジ固定したことによって、フェライトコア３８に巻き付けたフレキシブル基板３５Ｌの中途部が該フェライトコア３８から脱落することを確実に防止することができる。
【００５１】
また、フレキシブル基板３５Ｌの中途部をフェライトコア３８に巻き付けたことによって、貫通孔３８ｈ内にフレキシブル基板３５Ｌが挿通配置されると共に、第１の平面３８ｃ上及び第２の平面３８ｄ上にフレキシブル基板３５Ｌが配置されて、巻数を増やした状態を得ることができる。
【００５２】
なお、上述した実施形態においては、フェライトコア固定部材３９をネジで固定台４１上に固定してフェライトコア３８に巻き付けたフレキシブル基板３５Ｌの中途部が該フェライトコア３８から脱落することを防止するとしている。  
しかし、フェライトコア３８に巻き付けられたフレキシブル基板３５Ｌの外周側に帯状部材或いは紐部材等の留め具を巻き付け固定して、フレキシブル基板３５Ｌの中途部が該フェライトコア３８から脱落することを防止するようにしてもよい。
【００５３】
また、図７の（Ａ）、（Ｂ）に示すようにフレキシブル基板３５Ｌの中途部が巻き付けられているフェライトコア３８を収容する貫通孔３８Ａｈを設けた第２フェライトコア３８Ａを係止部材とする構成であってもよい。第２フェライトコア３８は、第２の固体ノイズ除去部材である。
【００５４】
図７の（Ｂ）に示すように第２フェライトコア３８Ａは、フェライトコア３８の第１の辺３８ａの長さより長く、第１の距離Ｌ１より短く設定された第１の辺３８Ａａと、フェライトコア３８の幅より幅広な第２の辺３８Ａｂとで構成される互いに平行な２つの平面３８Ａｃ、３８Ａｄを外面として有している。フェライトコア３８Ａは、第２の辺３８Ａｂを含む対向する側面３８Ａｅ、３８Ａｆにフレキシブル基板３５Ｌの中途部を巻き付けたフェライトコア３８が配置される貫通孔３８Ａｈの開口３８Ａｍを有している。
【００５５】
このように、フレキシブル基板３５Ｌの中途部が巻き付けられているフェライトコア３８を矢印Ｙ７Ｂに示すように第２フェライトコア３８Ａの貫通孔３８Ａｈ内に収容することによって、フェライトコア３８に巻き付けられているフレキシブル基板３５Ｌの中途部が該フェライトコア３８から脱落することを防止することができると共に、フェライトコア３８の第１の平面３８ｃ上及び第２の平面３８ｄ上にそれぞれ配置されたフレキシブル基板３５Ｌを第２フェライトコア３８Ａで被ってノイズ除去性能のさらなる向上を図ることができる。  
なお、貫通孔３８Ａｈ内にフレキシブル基板３５Ｌの中途部が巻き付けられているフェライトコア３８を収容した第２フェライトコア３８Ａをメイン基板２９ｐ１に留め具によって固定するようにしてもよい。
【００５６】
また、図６Ｅに示したように本実施形態においては、フェライトコア３８を第２の平面３８ｄから見て第２接続部側弛み部４３ｂの中心線４３ｂＡと、フレキシブル基板３５Ｌの中心線３５Ｌａと、第１接続部側弛み部４３ａの中心線４３ａＡとが一直線上に配置される構成を示している。
【００５７】
しかし、図８に示すようにフェライトコア３８を第２の平面３８ｄから見て第２接続部側弛み部４３ｂの中心線４３ｂＡと、第１接続部側弛み部４３ａの中心線４３ａＡとが平行でオフセットされた位置関係であってもよい。
【００５８】
この位置関係においては、前記矢印６Ｂに示すように図中上方向に位置する第１の平面３８ｃが図中下方向になるようにフェライトコア３８を反転させて、第２の平面３８ｄ上にフレキシブル基板３５Ｌの第２接続部側弛み部４３ｂを配置させるとともに、第１の平面３８ｃ上にフレキシブル基板３５Ｌの第１接続部側弛み部４３ａを配置させる。  
この結果、長さｌの余長部を含むフレキシブル基板３５Ｌの中途部がフェライトコア３８に巻き付けられた状態になる。このとき、フレキシブル基板３５Ｌの中心線３５Ｌａは、第２接続部側弛み部４３ｂの中心線４３ｂＡ及び第１接続部側弛み部４３ａの中心線４３ａＡに交差した位置関係になる。
【００５９】
尚、本発明は、以上述べた実施形態のみに限定されるものではなく、発明の要旨を逸脱しない範囲で種々変形実施可能である。
【符号の説明】
【００６０】
１…内視鏡装置  ２…内視鏡  ３…カメラコントロールユニット  ４…モニタ  
５…挿入部  ５ａ…先端部  ５ｂ…湾曲部  ５ｃ…可撓管部  ６…操作部  
７…ユニバーサルケーブル  ８…湾曲操作部  ８ａ…上下ノブ  ８ｂ…左右ノブ  
９…スイッチ  １０…送気送水ボタン  １１…吸引ボタン  １２…処置具挿入口  
１３…内視鏡コネクタ  １４…撮像用コネクタ  １５…撮像ケーブル  １６…表示パネル
１６Ｅ…パネル電装部  １７…電源スイッチ  ２１…筐体  ２２…正面板  ２３…背面板
２４…トップカバー  ２４Ｌ…左側面部  ２４Ｒ…右側面部  ２４Ｕ…天面部  
２５…底板  ２６…取手  ２７…送気ポンプ  ２８…電源部  ２９…制御部  
２９ａ…基板用第１コネクタ  ２９ｂ…基板用第２コネクタ  ２９ｍ…コネクタ開口  
２９ｐ１…メイン基板  ２９ｐ２…サブ基板  ３０…レセプタクル  ３０ｍ…接続口  
３１…内視鏡コネクタ接続部  ３２…撮像用コネクタ接続部  ３３…電装部用コネクタ
３４…リジット基板  ３５、３５Ｌ…フレキシブル基板  ３５Ｌａ…中心線  
３５ｃ…突起  ３８、３８Ａ…フェライトコア  ３８Ａａ…第１の辺  
３８Ａｂ…第２の辺  ３８Ａｃ…第１の平面  ３８Ａｅ、３８Ａｆ…側面  
３８Ａｈ…貫通孔  ３８ｍ、３８Ａｍ…開口  ３８ａ…第１の辺  ３８ｂ…第２の辺  
３８ｃ…第１の平面  ３８ｄ…第２の平面  ３８ｅ、３８ｆ…側面  ３８ｈ…貫通孔  
３８ｈ１…第１の内面  ３８ｈ２…第２の内面  ３９…フェライトコア固定部材  
３９ｈ…逃がし孔  ４０…固定ネジ  ４０ｍ…雄ねじ部  ４１…固定台  
４１ｆ…雌ネジ部  ４２…スペーサ  ４３ａ…第１接続部側弛み部  
４３ａＡ、４３ｂＡ…中心線  ４３ｂ…第２接続部側弛み部  ４４…曲げ部
【図１】
2015173167.tif 000003
【図２】
2015173167.tif 000004
【図３】
2015173167.tif 000005
【図４】
2015173167.tif 000006
【図５】
2015173167.tif 000007
【図６Ａ】
2015173167.tif 000008
【図６Ｂ】
2015173167.tif 000009
【図６Ｃ】
2015173167.tif 000010
【図６Ｄ】
2015173167.tif 000011
【図６Ｅ】
2015173167.tif 000012
【図７】
2015173167.tif 000013
【図８】
2015173167.tif 000014